(57)【要約】【課題】口座を示す画像を選択することで送金先口座を特定する情報処理装置において、意図しない口座を送金先口座として特定してしまう危険性を低減する。【解決手段】本情報処理装置は、口座と、前記口座を示すアイコン画像と、前記口座を分類するグループと、の対応を管理する管理手段から、前記アイコン画像と前記グループとの対応関係を取得する取得手段と、前記対応関係にしたがって、前記アイコン画像を前記グループごとに異なる領域に配置して表示する表示手段と、表示された前記アイコン画像のうち、選択された前記アイコン画像に対応付けられた口座を送金先口座として特定する特定手段と、を備える。【選択図】図３
2019219749.tif 000002
【特許請求の範囲】
【請求項１】
口座と、前記口座を示すアイコン画像と、前記口座を分類するグループと、の対応を管理する管理手段から、前記アイコン画像と前記グループとの対応関係を取得する取得手段と、
前記対応関係にしたがって、前記アイコン画像を前記グループごとに異なる領域に配置して表示する表示手段と、
表示された前記アイコン画像のうち、選択された前記アイコン画像に対応付けられた口座を送金先口座として特定する特定手段と、を備える、
情報処理装置。
【請求項２】
前記グループは、送金元となる送金元口座を示すグループを含み、
前記表示手段は、前記送金元口座を示すグループに分類される口座を示すアイコン画像と前記送金元口座以外の口座を示すアイコン画像とを識別可能に表示し、
前記特定手段は、表示された前記アイコン画像のうち、前記送金元口座以外の口座を示す送金先アイコン画像が選択されると、前記送金先アイコン画像と、前記送金元口座に対応付けられたアイコン画像とを関連付けて表示する、
請求項１に記載の情報処理装置。
【請求項３】
前記管理手段は、前記グループごとに、前記口座各々の優先度を管理し、
前記表示手段は、前記優先度が所定の優先度以上である口座に対応付けられた前記アイコン画像を表示する、
請求項１または２に記載の情報処理装置。
【請求項４】
前記表示手段は、前記領域の何れかが選択されると、選択された前記領域の面積を拡張し、選択された領域が示すグループに分類されるアイコン画像については、前記所定の優先度を緩和する、
請求項３に記載の情報処理装置。
【請求項５】
前記優先度は、送金先として指定された回数が多い口座ほど高く設定される、
請求項３または４に記載の情報処理装置。
【請求項６】
前記優先度は、送金額の累計額が高い口座ほど高く設定される、
請求項３または４に記載の情報処理装置。
【請求項７】
コンピュータが、
口座と、前記口座を示すアイコン画像と、前記口座を分類するグループと、の対応を管理する管理手段から、前記アイコン画像と前記グループとの対応関係を取得する取得ステップと、
前記対応関係にしたがって、前記アイコン画像を前記グループごとに異なる領域に配置して表示する表示ステップと、
表示された前記アイコン画像のうち、選択された前記アイコン画像に対応付けられた口座を送金先口座として特定する特定ステップと、を実行する、
情報処理方法。
【請求項８】
コンピュータに、
口座と、前記口座を示すアイコン画像と、前記口座を分類するグループと、の対応を管理する管理手段から、前記アイコン画像と前記グループとの対応関係を取得する取得ステップと、
前記対応関係にしたがって、前記アイコン画像を前記グループごとに異なる領域に配置
して表示する表示ステップと、
表示された前記アイコン画像のうち、選択された前記アイコン画像に対応付けられた口座を送金先口座として特定する特定ステップと、を実行させる、
情報処理プログラム。
【発明の詳細な説明】
【技術分野】
【０００１】
本発明は、情報処理装置、情報処理方法および情報処理プログラムに関する。
【背景技術】
【０００２】
口座間の送金等の金融機関が提供するサービスをオンラインで提供するインターネットバンキングが利用されている。インターネットバンキングでは、例えば、スマートフォンやパーソナルコンピュータ等の情報処理装置が金融機関のサーバにアクセスすることで、送金手続き等が行われる。
【０００３】
インターネットバンキングにおける送金手続きを簡易に実行するために、ディスプレイ等の表示装置に複数の口座各々を示す画像を表示し、表示された画像を選択することで、送金先口座を特定する技術が提案されている（特許文献１−３参照）。
【先行技術文献】
【特許文献】
【０００４】
【特許文献１】特開２０１７−１８２５８０号公報
【特許文献２】特開２０１７−１４６９３５号公報
【特許文献３】特開２００６−２７７６８６号公報
【発明の概要】
【発明が解決しようとする課題】
【０００５】
複数の口座各々を示す画像の数が多くなるにつれて、意図しない送金元口座を示す画像を選択することで、送金先口座として特定すべき口座とは別の口座を送金先口座として特定してしまい、誤送金してしまう危険性が高まる。
【０００６】
開示の技術の１つの側面は、口座を示す画像を選択することで送金先口座を特定する情報処理装置において、意図しない口座を送金先口座として特定してしまう危険性を低減することを課題とする。
【課題を解決するための手段】
【０００７】
開示の技術の１つの側面は、次のような情報処理装置によって例示される。本情報処理装置は、口座と、前記口座を示すアイコン画像と、前記口座を分類するグループと、の対応を管理する管理手段から、前記アイコン画像と前記グループとの対応関係を取得する取得手段と、前記対応関係にしたがって、前記アイコン画像を前記グループごとに異なる領域に配置して表示する表示手段と、表示された前記アイコン画像のうち、選択された前記アイコン画像に対応付けられた口座を送金先口座として特定する特定手段と、を備える。
【０００８】
開示の技術によれば、口座はグループに分類され、口座を示すアイコン画像はグループごとに異なる領域に配置される。そのため、開示の技術によれば、グループを手掛かりとすることで送金先として指定するアイコン画像を容易に判別させることができ、意図しない口座を送金先口座として特定してしまう危険性を低減できる。
【０００９】
開示の技術は、さらに次の特徴を有してもよい。前記グループは、送金元となる送金元口座を示すグループを含み、前記表示手段は、前記送金元口座を示すグループに分類される口座を示すアイコン画像と前記送金元口座以外の口座を示すアイコン画像とを識別可能に表示し、前記特定手段は、表示された前記アイコン画像のうち、前記送金元口座以外の口座を示す送金先アイコン画像が選択されると、前記送金先アイコン画像と、前記送金元
口座に対応付けられたアイコン画像とを関連付けて表示する。このような特徴を有することで、開示の技術は、送金元口座と送金先口座とを視覚的にわかりやすく表示することができる。
【００１０】
開示の技術は、さらに次の特徴を有してもよい。前記管理手段は、前記グループごとに、前記口座各々の優先度を管理し、前記表示手段は、前記優先度が所定の優先度以上である口座に対応付けられた前記アイコン画像を表示する。所定の優先度は、例えば、情報処理装置が表示可能な領域に応じて適宜選択される。このような特徴を有することで、管理手段が管理する口座の数が増大しても、表示されるアイコン画像の数は制限される。そのため、アイコン画像が表示される画面が煩雑になることが抑制される。
【００１１】
開示の技術は、さらに次の特徴を有してもよい。前記表示手段は、前記領域の何れかが選択されると、選択された前記領域の面積を拡張し、選択された前記領域が示すグループに分類されるアイコン画像については、前記所定の優先度を緩和する。所定の優先度が緩和されることで、緩和される前には表示されていなかったアイコン画像が表示されるようになる。そのため、開示の技術は、緩和される前の所定の優先度に満たない口座への送金も可能である。前記優先度は、送金先として指定された回数が多い口座ほど高く設定されてもよいし、送金額の累計額が高い口座ほど高く設定されてもよい。
【００１２】
開示の技術は、情報処理方法および情報処理プログラムの側面からも把握可能である。
【発明の効果】
【００１３】
開示の技術は、口座を示す画像を選択することで送金先口座を特定する情報処理装置において、意図しない口座を送金口座として特定してしまう危険性を低減することができる。
【図面の簡単な説明】
【００１４】
【図１】図１は、実施形態に送金システムの一例を示す図である。
【図２】図２は、情報処理装置のハードウェア構成の一例を示す図である。
【図３】図３は、送金システムの処理ブロックの一例を示す図である。
【図４】図４は、口座管理データベースに格納される口座管理テーブルの一例を示す図である。
【図５】図５は、表示管理データベースに格納される表示態様管理テーブルの一例を示す図である。
【図６】図６は、送金指示画面の一例を示す図である。
【図７】図７は、送金先口座アイコンへのタップ操作を検知した受付部が当該口座アイコンの表示態様を変化させた送金指示画面の一例を示す図である。
【図８】図８は、送金内容確認画面の一例を示す図である。
【図９】図９は、登録画面の一例を示す図である。
【図１０】図１０は、スマートフォンの処理フローの一例を示す図である。
【図１１】図１１は、第１変形例に係る表示態様管理テーブルの一例を示す図である。
【図１２】図１２は、第１変形例に係る送金指示画面の一例を示す図である。
【図１３】図１３は、第２変形例に係る送金指示画面の一例を示す図である。
【図１４】図１４は、送金元口座アイコンと指定口座アイコンとの組を視覚的に示す方法の他の例を示す図である。
【発明を実施するための形態】
【００１５】
以下、図面を参照して、一実施形態に係る送金システムについて説明する。以下に示す実施形態の構成は例示であり、開示の技術は実施形態の構成に限定されない。
【００１６】
＜実施形態＞
図１は、実施形態に係る送金システム５００の一例を示す図である。送金システム５００は、スマートフォン１と銀行サーバ２とを含み、スマートフォン１と銀行サーバ２とはネットワークＮ１によって相互に接続される。
【００１７】
スマートフォン１は、顧客が使用する情報処理装置の一例である。スマートフォン以外の顧客が使用する情報処理装置としては、例えば、デスクトップ型パーソナルコンピュータ、ノートブック型パーソナルコンピュータ、携帯電話、Automatic Teller Machine（ＡＴＭ）ウェアラブルコンピュータを挙げることができる。
【００１８】
スマートフォン１は、図１に例示されるように、筐体１１、ディスプレイ１２およびタッチパネル１３を備える情報処理装置である。筐体１１は、その内部にCentral Processing Unit（ＣＰＵ）、主記憶部、補助記憶部等を含むハードウェアを収容するケースであ
る。筐体１１は、例えば、樹脂で形成される。
【００１９】
ディスプレイ１２は、ＣＰＵによる演算結果を出力する。ディスプレイ１２は、例えば、Liquid Crystal Display（ＬＣＤ）、Plasma Display Panel（ＰＤＰ）、Electroluminescence（ＥＬ）パネル、有機ＥＬパネルである。
【００２０】
タッチパネル１３は、指やスタイラスペン等による接触を検知する。タッチパネル１３は、ディスプレイ１２上に重畳して配置されることで、スマートフォン１の利用者に対して、ディスプレイ１２に表示される画像に対する接触操作を実現する。
【００２１】
銀行サーバ２は、金融機関に設置され、インタネットバンキングサービスを提供する情報処理装置である。銀行サーバ２は、顧客が保有する口座の口座番号と口座の残高を対応付けて記憶する。銀行サーバ２は、スマートフォン１からの送金指示にしたがって、送金処理を実行する。銀行サーバ２は、図示しない他の金融機関に設置される銀行サーバと通信することで、他の金融機関の口座への送金も可能である。
【００２２】
ネットワークＮ１は、コンピュータを相互に接続するコンピュータネットワークである。ネットワークＮ１は、例えば、インターネットによって例示される公衆通信網であり、スマートフォン１および銀行サーバ２はネットワークＮ１によって相互に通信可能に接続される。
【００２３】
図２は、情報処理装置６００のハードウェア構成の一例を示す図である。情報処理装置６００は、ＣＰＵ６０１、主記憶部６０２、補助記憶部６０３、通信部６０４、入力部６０５、出力部６０６および接続バスＢ１を含む。ＣＰＵ６０１、主記憶部６０２、補助記憶部６０３、通信部６０４、入力部６０５および出力部６０６は、接続バスＢ１によって相互に接続されている。情報処理装置６００は、スマートフォン１および銀行サーバ２として利用できる。
【００２４】
ＣＰＵ６０１は、マイクロプロセッサユニット（ＭＰＵ）、プロセッサとも呼ばれる。ＣＰＵ６０１は、単一のプロセッサに限定される訳ではなく、マルチプロセッサ構成であってもよい。また、単一のソケットで接続される単一のＣＰＵ６０１がマルチコア構成を有していても良い。ＣＰＵ６０１が実行する処理のうち少なくとも一部は、ＣＰＵ６０１以外のプロセッサ、例えば、Digital Signal Processor（ＤＳＰ）、Graphics Processing Unit（ＧＰＵ）、数値演算プロセッサ、ベクトルプロセッサ、画像処理プロセッサ等の専用プロセッサで行われても良い。また、ＣＰＵ６０１が実行する処理のうち少なくとも一部は、集積回路（ＩＣ）、その他のディジタル回路によって実行されてもよい。また、
ＣＰＵ６０１の少なくとも一部にアナログ回路が含まれても良い。集積回路は、Large Scale Integrated circuit（ＬＳＩ）、Application Specific Integrated Circuit（ＡＳ
ＩＣ）、プログラマブルロジックデバイス（ＰＬＤ）を含む。ＰＬＤは、例えば、Field-Programmable Gate Array（ＦＰＧＡ）を含む。ＣＰＵ６０１は、プロセッサと集積回路
との組み合わせであっても良い。組み合わせは、例えば、マイクロコントローラユニット（ＭＣＵ）、System-on-a-chip（ＳｏＣ）、システムＬＳＩ、チップセットなどと呼ばれる。情報処理装置６００では、ＣＰＵ６０１が補助記憶部６０３に記憶されたプログラムを主記憶部６０２の作業領域に展開し、プログラムの実行を通じて周辺装置の制御を行う。これにより、情報処理装置６００は、所定の目的に合致した処理を実行することができる。主記憶部６０２および補助記憶部６０３は、情報処理装置６００が読み取り可能な記録媒体である。
【００２５】
主記憶部６０２は、ＣＰＵ６０１から直接アクセスされる記憶部として例示される。主記憶部６０２は、Random Access Memory（ＲＡＭ）およびRead Only Memory（ＲＯＭ）を含む。
【００２６】
補助記憶部６０３は、各種のプログラムおよび各種のデータを読み書き自在に記録媒体に格納する。補助記憶部６０３は外部記憶装置とも呼ばれる。補助記憶部６０３には、オペレーティングシステム（Operating System、ＯＳ）、各種プログラム、各種テーブル等が格納される。ＯＳは、通信部６０４を介して接続される外部装置等とのデータの受け渡しを行う通信インターフェースプログラムを含む。外部装置等には、例えば、コンピュータネットワーク等で接続された、他の情報処理装置および外部記憶装置が含まれる。なお、補助記憶部６０３は、例えば、ネットワーク上のコンピュータ群であるクラウドシステムの一部であってもよい。
【００２７】
補助記憶部６０３は、例えば、Erasable Programmable ROM（ＥＰＲＯＭ）、ソリッド
ステートドライブ（Solid State Drive、ＳＳＤ）、ハードディスクドライブ（Hard Disk
Drive、ＨＤＤ）等である。また、補助記憶部６０３は、例えば、Compact Disc（ＣＤ）ドライブ装置、Digital Versatile Disc（ＤＶＤ）ドライブ装置、Blu-ray（登録商標）Disc（ＢＤ）ドライブ装置等である。また、補助記憶部６０３は、Network Attached Storage（ＮＡＳ）あるいはStorage Area Network（ＳＡＮ）によって提供されてもよい。
【００２８】
通信部６０４は、例えば、ネットワークＮ１のインターフェースである。通信部６０４は、ネットワークＮ１を介して外部の装置と通信を行う。
【００２９】
入力部６０５は、ユーザからの操作指示等を受け付ける。入力部６０５は、例えば、キーボード、ポインティングデバイス、タッチパネル、マイク、カメラ等である。
【００３０】
出力部６０６は、ＣＰＵ６０１で処理されるデータや主記憶部６０２に記憶されるデータを出力する。出力部６０６として、ディスプレイ、プリンタ、スピーカーを挙げることができる。ディスプレイは、例えば、Cathode Ray Tube（ＣＲＴ）ディスプレイ、Liquid
Crystal Display（ＬＣＤ）、Plasma Display Panel（ＰＤＰ）、Electroluminescence
（ＥＬ）パネル、有機ＥＬパネルである。
【００３１】
＜送金システム５００の処理ブロック＞
図３は、送金システム５００の処理ブロックの一例を示す図である。送金システム５００のスマートフォン１および銀行サーバ２の各々は、主記憶部６０２に実行可能に展開されたコンピュータプログラムをＣＰＵ６０１が実行することで、図３に例示される各部としての処理を実行する。
【００３２】
＜銀行サーバ２の処理ブロック＞
銀行サーバ２は、図３に例示されるように、提供部２０１、送金実行部２０２、口座管理データベース２０３、および表示管理データベース２０４を備える。以下、図３を参照して、銀行サーバ２の処理ブロックについて説明する。
【００３３】
口座管理データベース２０３は、口座を管理するデータベースである。図４は、口座管理データベース２０３に格納される口座管理テーブル２０３１の一例を示す図である。口座管理テーブル２０３１は、口座番号および預金残高の各項目を含む。口座番号は、口座を特定する番号である。預金残高は、口座に入金されている金額（残高）である。図４では、例えば、口座番号「11111-2222222」の口座の預金残高は「100,000」であることがわかる。
【００３４】
表示管理データベース２０４は、口座番号が特定する口座をディスプレイに表示する際の態様に係る情報を管理するデータベースである。図５は、表示管理データベース２０４に格納される表示態様管理テーブル２０４１の一例を示す図である。表示態様管理テーブル２０４１は、例えば、金融機関の顧客毎に用意される。表示態様管理テーブル２０４１は、口座番号、グループ、表示名、画像およびメモの各項目を含む。口座番号は、口座管理テーブル２０３１と同一であるため、説明を省略する。グループには、口座を複数のグループに分類する際に、口座を所属させるグループを示す情報が格納される。表示名には、口座に係る情報をスマートフォン１のディスプレイ１２に表示する際に用いる名称が格納される。画像には、口座を示す画像としてディスプレイ１２に表示する画像を特定する情報が格納される。図５では、画像を特定する情報として画像ファイルのファイル名が例示されているが、画像を特定する情報は画像のパス名であってもよいし、インターネット上の画像を示すUniform Resource Locator（ＵＲＬ）であってもよい。以下、本明細書において、口座を示す画像は、口座アイコンと称される。メモには、口座に係る任意の情報が格納される。以下、本明細書において、本人グループに属する口座を送金元口座、本人グループ以外のグループに属する口座を送金先口座とも称する。表示態様管理テーブル２０４１に格納される送金先口座は、送金元口座と同じ金融機関の口座であっても、異なる金融機関の口座であってもよい。口座アイコンは、「アイコン画像」の一例である。表示管理データベース２０４は、「管理手段」の一例である。
【００３５】
提供部２０１は、スマートフォン１から口座番号を含む残高照会要求を受信すると、残高照会要求から口座番号を抽出し、口座管理データベース２０３において抽出した口座番号に対応付けられた預金残高を取得する。提供部２０１は、取得した預金残高を残高照会要求に対する応答として、スマートフォン１に返送する。
【００３６】
送金実行部２０２は、送金元口座、送金先口座および送金金額を含む送金指示をスマートフォン１から受信すると、送金指示にしたがって送金を実行する。送金実行部２０２は、送金結果をスマートフォン１に通知する。
【００３７】
＜スマートフォン１の処理ブロック＞
スマートフォン１は、図３に例示されるように、表示部１０１、受付部１０２、送金指示部１０３、登録部１０４、取得部１０５を備える。以下、図３を参照して、スマートフォン１の処理ブロックについて説明する。
【００３８】
表示部１０１は、ディスプレイ１２に送金指示画面を表示する。送金指示画面は、本人グループに属する口座を示す口座アイコンと本人グループ以外のグループに属す口座を示す口座アイコンとが表示される。表示部１０１は、銀行サーバ２にアクセスして、表示管理データベース２０４の表示態様管理テーブル２０４１から、口座アイコンとグループとの対応関係を取得する。表示部１０１は、取得した対応関係にしたがって、グループが本
人である口座に対応付けられた口座アイコンを表示し、その周囲に本人以外のグループに属する口座に対応付けられた口座アイコンをグループごとに分類して表示する。口座アイコンとグループとの対応関係を取得する表示部１０１は、「取得手段」の一例である。口座アイコンをグループごとに分類して表示する表示部１０１は、「表示手段」の一例である。
【００３９】
図６は、送金指示画面１０１１の一例を示す図である。送金指示画面１０１１は口座アイコン表示領域１０１１１を有し、口座アイコン表示領域１０１１１は、グループを示す複数の領域１０１１３−１、１０１１３−２、１０１１３−３に分割される。口座アイコン表示領域１０１１１の外部には、グループの凡例を示す凡例ラベル１０１１３が、それぞれの領域１０１１３−１、１０１１３−２、１０１１３−３の付近に配置される。例えば、領域１０１１３−１は、家族グループを示す領域であることが凡例１０１１３によって理解できる。領域１０１１３−１、１０１１３−２、１０１１３−３は、「グループ領域」の一例である。
【００４０】
口座アイコン表示領域１０１１１の中心には、本人の口座を示す送金元口座アイコン１０１１２が配置される。送金元口座アイコン１０１１２の周囲には、送金先口座を示す送金先口座アイコン１０１１４が、表示名ラベル１０１１５が付された状態で表示される。表示名ラベル１０１１５には、表示態様管理テーブル２０４１において送金先口座アイコン１０１１４が示す口座に対応付けられた表示名が表示される。口座アイコン表示領域１０１１１のうち、家族グループを示す領域１０１１３−１には、表示態様管理テーブル２０４１において家族グループに対応付けられた送金先口座を示す送金先口座アイコンが配置される。口座アイコン表示領域１０１１１のうち、友人グループを示す領域１０１１３−２には、表示態様管理テーブル２０４１において友人グループに対応付けられた送金先口座を示す送金先口座アイコンが配置される。口座アイコン表示領域１０１１１のうち、団体グループを示す領域１０１１３−３には、表示態様管理テーブル２０４１において団体グループに対応付けられた送金先口座を示す送金先口座アイコン１０１１４が配置される。送金先口座アイコン１０１１４は、「送金先アイコン画像」の一例である。表示部１０１は、「表示手段」の一例である。
【００４１】
受付部１０２は、タッチパネル１３に対する接触動作による操作を受け付けるとともに、接触動作に応じて送金指示画面１０１１の表示態様を変更する。受付部１０２は、例えば、タッチパネル１３に対する接触動作が行われると、タッチパネル１３からの信号を基に、接触位置を検出する。受付部１０２は、例えば、送金先口座アイコン１０１１４が表示されている領域内に接触位置が含まれる場合、当該接触動作は当該送金先口座アイコン１０１１４に対するタップ操作であると判定する。
【００４２】
受付部１０２は、例えば、送金先口座を示すいずれかの送金先口座アイコン１０１１４へのタップ操作を検知すると、タップ操作が行われた送金先口座アイコン１０１１４が示す口座への送金が指示されたと判定する。すなわち、受付部１０２は、タップ操作が行われた送金先口座アイコン１０１１４が示す口座を送金先口座として特定する。以下、本明細書において、タップ操作が行われた送金先口座アイコン１０１１４を指定口座アイコンと称する。受付部１０２は、タップ操作が行われた指定口座アイコンの表示態様を変化させるとともに、口座アイコン１０１１２と指定口座アイコンとを接続線で結ぶ。
【００４３】
図７は、送金先口座アイコン１０１１４へのタップ操作を検知した受付部１０２が当該送金先口座アイコン１０１１４の表示態様を変化させた送金指示画面１０１１の一例を示す図である。図７は、受付部１０２が、「ママ」のラベルが付された送金先口座アイコン１０１１４に対するタップ操作を検知した場合の送金指示画面１０１１を例示する。図７では、タップ操作によって指定口座アイコンとして選択された、「ママ」の表示名ラベル
１０１１５が付された送金先口座アイコン１０１１４の表示態様が変更され、当該送金先口座アイコン１０１１４が太枠で強調表示される。すなわち、タップ操作によって指定口座アイコンとして選択された、「ママ」の表示名ラベル１０１１５が付された送金先口座アイコン１０１１４は、他の送金先口座アイコン１０１１４とは異なる表示態様で表示される。さらに、送金元口座アイコン１０１１２と指定口座アイコンとが、接続線１０１１７によって接続される。すなわち、接続線１０１１７によって、送金元口座アイコン１０１１２と指定口座アイコンとが関連付けられる。指定口座アイコンには、「ママさんへ送金します。よろしければ、もう一度タップしてください」のメッセージを含む吹き出し１０１１８が付される。その後、表示部１０１が送金金額入力画面をディスプレイ１２に表示し、送金金額の入力が行われる。
【００４４】
送金金額が入力されると、表示部１０１は、ディスプレイ１２に送金内容確認画面１０１２を表示する。図８は、送金内容確認画面１０１２の一例を示す図である。送金内容確認画面１０１２は、送金先表示領域１０１２１および送金元表示領域１０１２２を有する。送金先表示領域１０１２１には送金指示画面１０１１において指定した送金先を特定する情報が表示され、送金元表示領域１０１２２には送金元を特定する情報や送金金額を示す情報が表示される。
【００４５】
送金先表示領域１０１２１は、口座番号、名義人、送金先の各項目を含む。口座番号には、送金先となる口座を示す口座番号が表示される。名義人には、送金先となる口座の名義人（口座の保有者）を示す情報が表示される。送金先には、送金先として指定した送金先口座アイコン１０１１４が、表示名ラベル１０１１５を付した状態で表示される。送金金額には、送金元口座から送金先口座に送金する金額を示す情報が表示される。送金名義には、送金元口座の名義人を示す情報が表示される。出金口座には、送金元口座の口座番号が表示される。送金内容確認画面１０１２において、送金実行ボタン１０１２２−１がタップされると送金が実行される。戻るボタン１０１２２−２がタップされると、送金が中断されて、例えば、送金指示画面１０１１に画面が遷移する。
【００４６】
送金実行ボタン１０１２２−１がタップされると、受付部１０２は、送金元口座アイコンが示す口座を送金元口座、指定口座アイコンが示す口座を送金先口座、送金内容確認画面１０１２において送金金額として表示された金額を送金金額とする送金を送金指示部１０３に依頼する。受付部１０２は、「特定手段」の一例である。
【００４７】
送金指示部１０３は、受付部１０２から送金を依頼されると、送金元口座の口座番号、送金先口座の口座番号および送金金額を含む送金指示を銀行サーバ２に送信する。
【００４８】
登録部１０４は、送金元口座に係る情報と送金先口座に係る情報の登録を受け付ける。登録部１０４は、例えば、口座を指定する口座番号、口座を分類するグループ名、口座アイコンを表示する際の表示名、口座アイコンの指定およびメモの登録を受け付ける登録画面をディスプレイ１２に表示し、登録画面において入力されたこれらの情報を表示態様管理テーブル２０４１に格納する。
【００４９】
図９は、登録画面１０４１の一例を示す図である。登録画面１０４１は登録部１０４によって出力され、口座番号入力欄１０４１１、グループ名入力欄１０４１２、表示名入力欄１０４１３、口座アイコン指定欄１０４１４およびメモ入力欄１０４１５、登録ボタン１０４１６およびキャンセルボタン１０４１７を含む。口座番号入力欄１０４１１には、表示態様管理テーブル２０４１の項目「口座番号」に格納する口座番号が入力される。グループ名入力欄１０４１２には、表示態様管理テーブル２０４１の項目「グループ」に格納するグループ名が入力される。表示名入力欄１０４１３には、表示態様管理テーブル２０４１の項目「表示名」に格納する表示名が入力される。口座アイコン指定欄１０４１４
には、表示態様管理テーブル２０４１の項目「画像所在」に格納する口座アイコンの所在を示す情報（例えば、ファイルパス名）が入力される。メモ入力欄には、表示態様管理テーブル２０４１の項目「メモ」に格納する情報が入力される。これらの情報を入力して登録ボタン１０４１６が押下されると、登録部１０４は入力された情報を銀行サーバ２に送信し、銀行サーバ２は受信した情報を表示態様管理テーブル２０４１に格納する。キャンセルボタン１０４１７が押下されると、登録部１０４は、登録画面１０４１の各欄に入力された情報を破棄し、表示態様管理テーブル２０４１への格納は行わない。
【００５０】
取得部１０５は、銀行サーバ２から口座に係る情報を取得する。取得部１０５は、受付部１０２から送金元口座の残高を取得するよう指示されると、送金元口座の口座番号を含む残高照会要求を送信して、送金元口座の残高を取得する。
【００５１】
図１０は、スマートフォン１の処理フローの一例を示す図である。以下、図１０を参照して、スマートフォン１の処理フローの一例について説明する。
【００５２】
ステップＳ１では、登録部１０４は、送金元口座に係る情報と送金先口座に係る情報の登録を受け付ける。登録部１０４は、登録画面１０４１をディスプレイ１２に表示し、登録画面１０４１の各欄に入力された情報を銀行サーバ２に送信する。銀行サーバ２は、スマートフォン１から受信した情報を表示態様管理テーブル２０４１に格納する。ステップＳ１の処理は送金の事前準備であり、送金元口座または送金先口座に係る情報の変更、追加、削除等が生じない限りは、一度だけ行えばよい。ステップＳ１の処理は、「管理ステップ」の一例である。
【００５３】
ステップＳ２では、表示部１０１は、送金指示画面１０１１をディスプレイ１２に表示する。表示部１０１は、表示態様管理テーブル２０４１を参照して、送金元口座に係る情報と送金先口座に係る情報を取得する。表示部１０１は、取得した情報を基に、図６に例示されるような、送金指示画面１０１１をディスプレイ１２に表示する。ステップＳ２の表示態様管理テーブル２０４１を参照して、送金元口座に係る情報と送金先口座に係る情報を取得する処理は、「取得ステップ」の一例である。ステップＳ２の送金指示画面１０１１をディスプレイ１２に表示する処理は、「表示ステップ」の一例である。
【００５４】
ステップＳ３では、受付部１０２は、送金指示画面１０１１に表示されたいずれかの送金先口座アイコンへのタップ操作を検知する。ステップＳ４では、受付部１０２は、タップ操作を検知した送金先口座アイコン（すなわち、指定口座アイコン）の表示態様を変更する。受付部１０２は、さらに、指定口座アイコンと送金元口座アイコンを接続線１０１１７によって接続する。ステップＳ４の処理が実行された送金指示画面１０１１は、例えば、図７によって例示される。ステップＳ３およびＳ４の処理は、「特定ステップ」の一例である。
【００５５】
ステップＳ５では、受付部１０２は、送金金額入力画面における送金額の入力を受け付ける。ステップＳ６では、表示部１０１は、送金内容確認画面１０１２を表示する。ステップＳ７では、受付部１０２は、送金内容確認画面１０１２の送金実行ボタン１０１２２−１へのタップを検知すると、送金元口座アイコンが示す口座から指定口座アイコンが示す口座への送金が指示されたと判定する。受付部１０２は、送金元口座アイコンが示す口座の口座番号と、指定口座アイコンが示す口座の口座番号と、送金金額とを渡して、送金指示部１０３に送金を依頼する。
【００５６】
ステップＳ８では、送金指示部１０３は、送金元口座アイコンが示す口座の口座番号と、指定口座アイコンが示す口座の口座番号と、送金金額とを含む送金指示を銀行サーバ２に送信する。銀行サーバ２は、送金指示にしたがって、送金を実行する。
【００５７】
＜実施形態の作用効果＞
実施形態では、スマートフォン１は、複数の送金先口座に対応付けたアイコンの各々をグループに分けて表示した。そのため、実施形態に係るスマートフォン１は、グループを手掛かりとすることで送金先として指定したいアイコンを容易に指定させることができる。そのため、実施形態によれば、意図しない口座へ送金してしまう危険性を低減できる。
【００５８】
実施形態では、スマートフォン１は、送金先口座アイコンに対してタップ操作すると、当該送金先口座アイコンの表示態様を変更するとともに、送金元口座アイコンと送金先口座アイコンとを接続線１０１１７によって接続する。そのため、実施形態によれば、スマートフォン１は、送金元口座と送金先口座とを視覚的に容易に把握できるように表示することができる。
【００５９】
実施形態では、送金元口座アイコン１０１１２は口座アイコン表示領域１０１１１の中心に配置され、送金先口座アイコン１０１１４はその周囲に配置された。そのため、実施形態によれば、送金元口座アイコン１０１１２と送金先口座アイコン１０１１４は視覚的に識別可能に配置される。
【００６０】
＜第１変形例＞
実施形態では、表示態様管理テーブル２０４１に登録された全ての口座をアイコンとして送金指示画面１０１１に表示した。第１変形例では、表示態様管理テーブル２０４１に登録された一部の口座をアイコンとして送金指示画面に表示する例について説明する。
【００６１】
図１１は、第１変形例に係る表示態様管理テーブル２０４１ａの一例を示す図である。第１変形例に係る表示態様管理テーブル２０４１ａは、「優先度」の項目を有する点で、実施形態に係る表示態様管理テーブル２０４１と異なる。「優先度」の項目は、同一グループ内において、送金指示画面に表示する優先度を示す数値が格納される。第１変形例では、「１」が最も優先度が高く、以降、「２」、「３」と数値が大きくなるほど優先度が低下するものとする。
【００６２】
表示部１０１は、表示態様管理テーブル２０４１ａにおける優先度が所定の優先度以上である口座アイコンを送金指示画面に表示するものとする。第１変形例では、所定の優先度は「４」であるものとする。このような条件下で表示部１０１が表示した送金指示画面は、例えば、図６に例示したものになる。
【００６３】
図６に例示される送金指示画面では、表示態様管理テーブル２０４１ａにおける優先度が「５」以上である口座は表示されていない。この状態において、受付部１０２は、例えば、家族グループを示す領域１０１１３−１の口座アイコンが配置されていない領域に対するタップ動作を検知すると、家族グループを示す領域１０１１３−１の範囲を拡張して表示する。受付部１０２は、領域１０１１３−１の拡張された範囲に、表示態様管理テーブル２０４１ａにおける優先度に格納される数値が「５」以上である口座の口座アイコンを表示した送金指示画面を表示する。
【００６４】
図１２は、第１変形例に係る送金指示画面１０１１ａの一例を示す図である。図６に例示される送金指示画面１０１１と対比すると理解できるように、送金指示画面１０１１ａは、家族グループを示す領域１０１１３−１の範囲が拡張され、拡張された範囲には、表示態様管理テーブル２０４１ａにおける優先度に格納される数値が「５」以上である口座の口座アイコンも表示されている。すなわち、領域１０１１３−１の範囲が拡張されることで当該領域により多くの口座アイコンを配置可能となるため、受付部１０２は、所定の優先度を緩和することで、当初の所定の優先度では表示されない口座アイコンを送金指示
画面に表示する。なお、送金指示画面１０１１ａにおいて、「前に戻る」と表示された矢印がタップされると、受付部１０２は、送金指示画面１０１１を表示する。
【００６５】
第１変形例では、所定の優先度よりも高い優先度の口座に対応付けられた口座アイコンが送金指示画面１０１１に表示される。そのため、表示態様管理テーブル２０４１ａに登録される口座の数が増大しても、多数の口座アイコンが送金指示画面１０１１に表示されることで、送金指示画面１０１１が煩雑になることが抑制される。
【００６６】
第１変形例では、送金先として指定する口座が所属するグループの領域に対してタップ操作を行うことで、当該グループの領域を拡張した送金指示画面１０１１ａが表示される。送金指示画面１０１１ａには、送金指示画面１０１１には表示されていない、所定の優先度に満たない口座に対応付けられた口座アイコンも表示される。そのため、第１変形例によれば、所定の優先度に満たない口座への送金も可能である。
【００６７】
第１変形例における優先度は、例えば、送金回数に応じて決定されてもよい。例えば、送金回数の多い送金先口座ほど優先度が高く設定されてもよい。このような場合、表示態様管理テーブル２０４１ａにおいて口座ごとの送金回数が管理されればよい。
【００６８】
第１変形例における優先度は、送金金額の累計額に応じて決定されてもよい。例えば、送金金額の累計額が高い送金先口座ほど優先度が高く設定されてもよい。このような場合、表示態様管理テーブル２０４１ａにおいて口座ごとの送金金額の累計額が管理されればよい。
【００６９】
第１変形例では、所定の優先度よりも高い優先度の口座に対応付けられた口座アイコンが送金指示画面１０１１に表示されるが、所定の優先度はグループごとに異なっていてもよい。例えば、送金金額の累計額をグループごとに算出し、累計額の高いグループほど多くの口座アイコンが表示できるように、グループごとに所定の優先度を設定してもよい。このような場合、送金指示画面１０１１において、累計額の高いグループを示す領域の面積を他の領域よりも広く設定してもよい。
【００７０】
＜第２変形例＞
実施形態および第１変形例では、送金指示画面は円形状として表示された。しかしながら、送金指示画面の形状が円形状に限定されるわけではない。送金指示画面は、例えば、半円形状に形成されてもよい。
【００７１】
図１３は、第２変形例に係る送金指示画面１０１１ｂの一例を示す図である。送金指示画面１０１１ｂは、半円形状に形成された口座アイコン表示領域１０１１１ｂを有し、口座アイコン表示領域１０１１１ｂの中央部には送金元口座アイコン１０１１２が配置される。口座アイコン表示領域１０１１１ｂは、送金指示画面１０１１の口座アイコン表示領域１０１１１と同様に、グループを示す複数の領域１０１１３−１、１０１１３−２、１０１１３−３に分割されており、領域１０１１３−１、１０１１３−２、１０１１３−３の各々には、各々の領域が示すグループに対応する口座アイコンが配置される。このような送金指示画面１０１１ｂも実施形態と同様に口座アイコンがグループごとに分類されて配置されるため、意図しない口座へ送金してしまう危険性を低減できる。
【００７２】
＜その他の変形例＞
実施形態、第１変形例および第２変形例では、口座ごとに異なる画像ファイルが口座アイコンとして設定されたが、口座アイコンは口座ごとに異ならなくともよい。例えば、口座アイコンは、グループごとに異なる画像ファイルが設定されてもよい。
【００７３】
実施形態、第１変形例および第２変形例では、送金先口座アイコン１０１１４には表示名ラベル１０１１５が付されが、表示名ラベル１０１１５は付されていなくともよい。例えば、送金先口座アイコン１０１１４が互いに異なることで送金先口座アイコンがどの口座に対応するか把握できる場合には、表示名ラベル１０１１５を省略してもよい。
【００７４】
実施形態、第１変形例および第２変形例では、送金元口座アイコン１０１１２は、口座アイコン表示領域１０１１１または口座アイコン表示領域１０１１１ｂの中心に配置されたが、送金元口座アイコン１０１１２は中心以外の場所に配置されてもよい。例えば、送金元口座アイコン１０１１２は、口座アイコン表示領域１０１１１または口座アイコン表示領域１０１１１ｂの外に配置されてもよい。また、送金元口座が一つである場合、送金元口座アイコンは送金指示画面１０１１に表示されなくともよい。
【００７５】
実施形態、第１変形例および第２変形例では、送金元口座アイコン１０１１２と指定口座アイコンとは、接続線１０１１７によって接続されることで、送金元口座アイコンと指定口座アイコンとの組が視覚的に示された。しかしながら、送金元口座アイコンと指定口座アイコンとの組を視覚的に示す方法が、接続線１０１１７に限定されるわけではない。
【００７６】
図１４は、送金元口座アイコンと指定口座アイコンとの組を視覚的に示す方法の他の例を示す図である。図１４（Ａ）は、送金元口座アイコン１０１１２から送金先口座アイコン１０１１４に向けて矢印１０１１７ａが向けられることで、送金元と送金先の組が視覚的に示される。図１４（Ｂ）は、送金元口座アイコン１０１１２と指定口座アイコンとを枠１０１１７ｂで囲むことで、送金元口座アイコン１０１１２と指定口座アイコンの組が視覚的に示される。
【００７７】
さらに、送金元口座アイコン１０１１２と指定口座アイコンとの組を視覚的に示す方法はこれらの例に限定されず、他の方法によって実現されてもよい。例えば、送金元口座アイコン１０１１２と指定口座アイコンとを点滅することで、送金元口座アイコン１０１１２と指定口座アイコンとの組を視覚的に示してもよい。また、例えば、送金元口座アイコン１０１１２から指定口座アイコンに向けて矢印が伸びる様子をアニメーションで表示してもよい。
【００７８】
実施形態では、指定口座アイコンは、太枠によって強調表示される。しかしながら、指定口座アイコンを強調表示する方法は、太枠による方法に限定されない。例えば、指定口座アイコンを点滅させたり、拡大表示させたり、他の送金先口座アイコン１０１１４と色を変えて表示したり、他の送金先口座アイコン１０１１４よりも高い輝度で表示したりしてもよい。
【００７９】
実施形態では、送金先口座アイコン１０１１４をタップすることで、送金先口座の指定を行う。しかしながら、送金先口座の指定は、送金先口座アイコン１０１１４をタップ操作することに限定されない。送金先口座の指定は、例えば、送金元口座アイコン１０１１２を送金先口座アイコン１０１１４に向けてドラッグすることで実施されてもよい。また、例えば、送金先口座の指定は、送金元口座アイコン１０１１２を指でタッチしたあと、当該指をディスプレイ１２から離さずに送金先口座アイコン１０１１４に向けて所定距離移動させることで実施されてもよい。
【００８０】
実施形態では、指定口座アイコンをタップすることで、送金先口座が確定された。しかしながら、送金先口座を確定する操作は、指定口座アイコンをタップする操作に限定されない。例えば、送金先口座を確定する操作は、指定口座アイコンをダブルタップしてもよいし、送金元口座アイコン１０１１２から指定口座アイコンに延びる接続線１０１１７をなぞる操作によって確定してもよい。
【００８１】
スマートフォン１は、送金を行う前に送金元口座の残高を銀行サーバ２から取得し、取得した残高をディスプレイ１２に表示してもよい。このような特徴を備えることで、送金元口座からどの程度の金額を送金できるか送金前に把握することができる。
【００８２】
実施形態では、表示管理データベースは銀行サーバ２が有したが、表示管理データベースはスマートフォン１が有してもよい。
【００８３】
以上で開示した実施形態や変形例はそれぞれ組み合わせる事ができる。
【００８４】
<<コンピュータが読み取り可能な記録媒体>>
コンピュータその他の機械、装置（以下、コンピュータ等）に上記いずれかの機能を実現させる情報処理プログラムをコンピュータ等が読み取り可能な記録媒体に記録することができる。そして、コンピュータ等に、この記録媒体のプログラムを読み込ませて実行させることにより、その機能を提供させることができる。
【００８５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、Compact Disc Read Only Memory（ＣＤ−ＲＯＭ）、Compact Disc - Recordable（ＣＤ−Ｒ）、Compact Disc - ReWriterable（ＣＤ−ＲＷ）、Digital Versatile Disc（ＤＶＤ）、ブ
ルーレイディスク（ＢＤ）、Digital Audio Tape（ＤＡＴ）、８ｍｍテープ、フラッシュメモリなどのメモリカード等がある。また、コンピュータ等に固定された記録媒体としてハードディスクやＲＯＭ等がある。
【符号の説明】
【００８６】
１・・・スマートフォン
２・・・銀行サーバ
１１・・・筐体
１２・・・ディスプレイ
１３・・・タッチパネル
１０１・・・表示部
１０２・・・受付部
１０３・・・送金指示部
１０４・・・登録部
１０５・・・取得部
２０１・・・提供部
２０２・・・送金実行部
２０３・・・口座管理データベース
２０４・・・表示管理データベース
２０４１、２０４１ａ・・・表示態様管理テーブル
５００・・・送金システム
６００・・・情報処理装置
６０１・・・ＣＰＵ
６０２・・・主記憶部
６０３・・・補助記憶部
６０４・・・通信部
６０５・・・入力部
６０６・・・出力部
１０１１・・・送金指示画面
１０１１ａ・・・送金指示画面
１０１１ｂ・・・送金指示画面
１０４１・・・登録画面
２０３１・・・口座管理テーブル
１０１１１、１０１１１ｂ・・・口座アイコン表示領域
１０１１２・・・送金元口座アイコン
１０１１３・・・凡例ラベル
１０１１３−１・・・領域
１０１１３−２・・・領域
１０１１３−３・・・領域
１０１１４・・・送金先口座アイコン
１０１１５・・・表示名ラベル
１０１１７・・・接続線
１０１１７ａ・・・矢印
１０１１７ｂ・・・枠
１０１１８・・・吹き出し
１０１１９・・・送金額入力欄
１０４１１・・・口座番号入力欄
１０４１２・・・グループ名入力欄
１０４１３・・・表示名入力欄
１０４１４・・・口座アイコン指定欄
１０４１５・・・メモ入力欄
１０４１６・・・登録ボタン
１０４１７・・・キャンセルボタン
１０１１１２・・・口座アイコン
Ｂ１・・・接続バス
Ｎ１・・・ネットワーク
【図１】
2019219749.tif 000003
【図２】
2019219749.tif 000004
【図３】
2019219749.tif 000005
【図４】
2019219749.tif 000006
【図５】
2019219749.tif 000007
【図６】
2019219749.tif 000008
【図７】
2019219749.tif 000009
【図８】
2019219749.tif 000010
【図９】
2019219749.tif 000011
【図１０】
2019219749.tif 000012
【図１１】
2019219749.tif 000013
【図１２】
2019219749.tif 000014
【図１３】
2019219749.tif 000015
【図１４】
2019219749.tif 000016